(57)【特許請求の範囲】
【請求項１】
電動工具の電源として該電動工具の工具本体に装着可能に構成されるバッテリパックを充電するための充電器であって、
前記充電器の筐体となるケースの上面には、前記バッテリパックをスライド装着させるための左右一対の雌形ガイド部が、該ケースの一部として樹脂の成形により形成されており、
前記左右一対の雌形ガイド部は、それぞれ前記バッテリパックをスライド装着させる箇所の左右両側から互いに対面する内向きに突出する突出部を備えており、
前記突出部の上面には、前記ケースの上面に対して上方に露出されるとともに、上下の段差形状が形成される露出段差部が設けられており、
前記露出段差部において、前記段差形状による少なくとも凹んだ部分は、前記充電器を水平台に置いた場合に水平方向に対して傾斜して形成されていることを特徴とする充電器。
【請求項２】
請求項１に記載の充電器において、
前記露出段差部の少なくとも凹んだ部分の傾斜下降端には、外部に通じる排出路が形成されていることを特徴とする充電器。
【請求項３】
請求項２に記載の充電器において、
前記排出路は、スリット形状にて形成されていることを特徴とする充電器。
【請求項４】
請求項１から請求項３のいずれかに記載の充電器において、
前記ケースの上面は、前記露出段差部から外部に排出された水を流れさせるように水平方向に対して傾斜して形成されていることを特徴とする充電器。
【請求項５】
請求項１から請求項４のいずれかに記載の充電器において、
前記ケースの側面には、前記ケースの上面から流出しようとする水を前記充電器を載置する載置面に向けて流れさせる案内水路が凹溝状にて形成されていることを特徴とする充電器。
【請求項６】
請求項１から請求項５のいずれかに記載の充電器において、
前記露出段差部の前記段差形状による少なくとも凹んだ部分の傾斜角度は、前記ケースの上面の傾斜角度と同一の傾斜角度に設定されていることを特徴とする充電器。
【発明の詳細な説明】
【技術分野】
【０００１】
本発明は、電動工具の電源として該電動工具の工具本体に装着可能に構成されるバッテリパックを充電するための充電器に関する。
【背景技術】
【０００２】
従来、例えば手持ち式の充電式ドライバに代表される電動工具にあっては、電源として工具本体にバッテリパックが装着されている。このバッテリパックは、工具本体から取り外して専用の充電器にて充電されるものとなっている。一方、この専用の充電器によりバッテリパックを充電する場合は、工具本体と同様に充電器に装着して充電する。つまりバッテリパックは、工具本体にスライドさせて装着（以下、スライド装着）させるようになっているので、充電器にて充電するに際しては、このスライド装着と同等の装着方式にて充電器に装着される。このため、このような充電器は、下記特許文献１にて開示されるように、バッテリパックのスライド装着を案内するためのスライド方向に沿って延びるガイド部が設けられている。他方、上記したガイド部は、樹脂の成形により形成されるものであるため、樹脂成形時のヒケが生じてしまわないように肉厚を薄くする薄肉にて成形することが要されている。このため、従来においては、ガイド部の内側（下側）から外側（上側）に向けて成形型を当てることにより、ガイド部の内側（下側）から厚肉樹脂の肉を盗む（肉ぬすみ）ようにして、ガイド部を薄肉に成形するようにしていた。
【先行技術文献】
【特許文献】
【０００３】
【特許文献１】特開２００９−２９６７２４号公報
【発明の概要】
【発明が解決しようとする課題】
【０００４】
ところで、上記したようにガイド部の内側（下側）から外側（上側）に向けて成形型を当てようとすると、ガイド部の内側（下側）の対向部分にケースの内外に連通する開口形状が設けられてしまう。そうすると、充電器に水がかかった際に、この開口形状からケースの内側に水が入ってしまう。このため、このようなケースにあっては、ケースの内側に入った水を内蔵部品に悪影響を与えることなく水路を設けて排出できるように、ケースの内側の構造を複雑化させてしまう原因となっていた。
そこで、ケースの内側構造を簡単構造とするために、ガイド部の内側（下側）の対向部分にケースの内外に連通する開口形状が設けられないように、ガイド部の外側（上側）から内側（下側）に向けて成形型を当てることによって、ガイド部の外側（上側）から厚肉樹脂の肉を盗む（肉ぬすみ）ようにして、ガイド部を薄肉に成形する方法が考えられる。
ところが、このようにガイド部の外側（上側）から厚肉樹脂の肉を盗むようにすると、この肉ぬすみによってガイド部の外側（上側）部分は凹状に形成されることとなる。そうすると、この凹状の形状によって、ガイド部の外側（上側）部分には、水が溜まり易くなる問題や、塵埃が堆積してしまい易くなる問題が生ずることとなる。
【０００５】
本発明は、このような事情に鑑みなされたものであって、本発明が解決しようとする課題は、電動工具の電源として該電動工具の工具本体に装着可能に構成されるバッテリパックを充電するための充電器において、バッテリパックをスライド装着させるためのガイド部を樹脂の一体成形によりケースの一部として設けるにあたり、ケースに内外連通する開口形状を設けることなくガイド部を薄肉に成形することができ、さらにガイド部に水が溜まる問題や塵埃が堆積してしまう問題を軽減あるいは解消することにある。
【課題を解決するための手段】
【０００６】
上記した課題を解決するにあたって、本発明に係る充電器は次の手段を採用する。
すなわち、本発明の第１の発明に係る充電器は、電動工具の電源として該電動工具の工具本体に装着可能に構成されるバッテリパックを充電するための充電器であって、前記充電器の筐体となるケースには前記バッテリパックをスライド装着させるためのガイド部が該ケースの一部として樹脂の成形により形成されており、前記ガイド部には露出段差部が形成されており、前記露出段差部の少なくとも凹んだ部分は、前記充電器を水平台に置いた場合に水平方向に対して傾斜して形成されていることを特徴とする。
【０００７】
この第１の発明に係る充電器によれば、充電器の筐体となるケースの一部として、バッテリパックをスライド装着させるためのガイド部が樹脂の成形により形成されている。ここで、このガイド部には、外側から厚肉樹脂の肉を盗むように成形型を当てることにより薄肉に成形して成形時の樹脂のヒケを防止する露出段差部が形成されている。このため、この露出段差部による段差形状によって、ケースの内側に水が入るような内外連通する開口形状を設けることなく、成形時の樹脂のヒケを防止するようにガイド部を薄肉に成形することができる。また、この露出段差部の少なくとも凹んだ部分は、充電器を水平台に置いた場合に水平方向に対して傾斜して形成されているので、この凹んだ部分に水が溜まってしまったり塵埃が堆積してしまったりする場合に、この凹んだ部分の傾斜を利用して傾斜下降側に向けて水や塵埃を偏らせるように移動させることができる。
これによって、凹んだ部分の傾斜下降側に偏らせた水や塵埃は、この偏りによって外部に排出され易いものとなる。もって、バッテリパックをスライド装着させるためのガイド部を樹脂の一体成形によりケースの一部として設けるにあたり、ケースに内外連通する開口形状を設けることなくガイド部を薄肉に成形することができ、さらにガイド部に水が溜まる問題や塵埃が堆積してしまう問題を軽減することができる。
【０００８】
第２の発明に係る充電器は、前記第１の発明に係る充電器において、前記露出段差部の少なくとも凹んだ部分の傾斜下降端には、外部に通じる排出路が形成されていることを特徴とする。
この第２の発明に係る充電器によれば、露出段差部の少なくとも凹んだ部分の傾斜下降端には外部に通じる排出路が形成されているので、上記した凹んだ部分の傾斜下降側に偏らせた水や塵埃を外部に排出するにあたって、この水や塵埃の偏りを妨げることなく偏りに沿って排出路から外部に排出させることができる。つまり、凹んだ部分による水や塵埃の偏り方向と外部に水や塵埃を排出させる方向とが一致するように排出路が形成されているので、この偏りと排出を一連の流れで妨げることなく外部に水や塵埃を排出させることができる。これによって、この露出段差部の凹んだ部分に溜まった水や塵埃のほとんど全てを、外部に向けて排出することができる。
【０００９】
第３の発明に係る充電器は、前記第２の発明に係る充電器において、前記排出路は、スリット形状にて形成されていることを特徴とする。
この第３の発明に係る充電器によれば、排出路はスリット形状にて形成されているので、ケースの成形と同時に排出路を形成することができる。これによって、排出路の形成工程を別段設けることがなくなり、ケースの製造に有利となる。
【００１０】
第４の発明に係る充電器は、前記第１から前記第３のいずれかの発明に係る充電器において、前記ケースの上面は、前記露出段差部から外部に排出された水を流れさせるように水平方向に対して傾斜して形成されていることを特徴とする。
この第４の発明に係る充電器によれば、ケースの上面は、露出段差部から外部に排出された水を流れさせるように水平方向に対して傾斜して形成されているので、上記したように露出段差部の凹んだ部分から排出された水をケースの上面に溜まらせ難くしたり、排出された塵埃をケースの上面に堆積させ難くしたりすることができる。これによって、水や塵埃を溜まらせずにケースの上面を綺麗な状態とすることができる。
【００１１】
第５の発明に係る充電器は、前記第１から前記第４のいずれかの発明に係る充電器において、前記ケースの側面には、前記ケースの上面から流出しようとする水を前記充電器を載置する載置面に向けて流れさせる案内水路が凹溝状にて形成されていることを特徴とする。
この第５の発明に係る充電器によれば、ケースの側面には溝状の案内水路が形成されているので、この溝状の案内水路によりケースの上面から流出しようとする水を充電器を載置する載置面（例えば地面）に向けて案内して流れさせることができる。これによって、この充電器の外部に水や塵埃を綺麗に流すことができて、ケースを綺麗な状態とすることができる。
【発明の効果】
【００１２】
第１の発明に係る充電器によれば、バッテリパックをスライド装着させるためのガイド部を樹脂の一体成形によりケースの一部として設けるにあたり、ケースに内外連通する開口形状を設けることなくガイド部を薄肉に成形することができ、さらにガイド部に水が溜まる問題や塵埃が堆積してしまう問題を軽減することができる。
第２の発明に係る充電器によれば、露出段差部の凹んだ部分に溜まった水や堆積してしまった塵埃のほとんど全てを、外部に向けて排出することができる。
第３の発明に係る充電器によれば、排出路の形成工程を別段設けることがなくなり、ケースの製造に有利となる。
第４の発明に係る充電器によれば、水や塵埃を溜まらせずにケースの上面を綺麗な状態とすることができる。
第５の発明に係る充電器によれば、この充電器の外部に水や塵埃を綺麗に流すことができて、ケースを綺麗な状態とすることができる。
【図面の簡単な説明】
【００１３】
【図１】バッテリパックおよび充電器を示す外観斜視図である。
【図２】充電器の上面図である。
【図３】バッテリパック装着方向の後面側の側面を示す充電器の側面図である。
【図４】バッテリパック装着方向の前面側の側面を示す充電器の側面図である。
【図５】図２におけるＶ−Ｖ断面矢視を示す充電器の断面図である。
【図６】図２におけるＶＩ−ＶＩ断面矢視を示す充電器の断面図である。
【図７】ケース本体の裏側を斜視にて示す裏面斜視図である。
【図８】本発明に係る排出路の変形例を示す充電器の上面図である。
【発明を実施するための形態】
【００１４】
以下に、本発明に係る充電器を実施するための実施の形態について、図面を参照しながら説明する。図１では、充電器１０に装着される前のバッテリパックＢおよび充電器１０の外観を斜視にて示している。なお、以下において充電器１０の説明を分かり易くするために、参照する図１〜図７の図面においては、バッテリパックＢの装着する方向に基づいて『上下前後左右』の方向を図示して規定している。つまり、図示するように、バッテリパックＢの装着側を上側として規定しており、バッテリパックＢを装着させるにあたりスライドさせる方向を前側として規定している。また、この充電器１０は、図３〜図６に示すように、本発明に係る水平台の載置面に相当する地面Ｇに載置されている。
図１に示すバッテリパックＢは、特に図示していないが、例えば手持ち式の充電式ドライバに代表される電動工具の電源として、電動工具の工具本体に装着可能に構成されるものである。このため、バッテリパックＢの詳細構造について図示していないが、このバッテリパックＢは、電動工具の工具本体に対してスライドさせて装着（以下、スライド装着）することができるように構成されている。また、このバッテリパックＢは、このようなスライド装着可能な構成により、以下に説明する充電器１０に対してもスライド装着することができる。
このため、図１において詳細を図示していないが、バッテリパックＢには、充電器１０のバッテリ装着部１５に対するスライド装着をガイドする雄形ガイド部が設けられている。この雄形ガイド部は、後に説明する充電器１０のバッテリ装着部１５に設けられる雌形ガイド部２０に対応して設けられるものである。この不図示の雄形ガイド部は、バッテリパックＢの装着方向に対して交差するバッテリパック幅方向（図示左右方向）にて対をなして形成されている。この雄形ガイド部は、後に説明する雌形ガイド部２０に対してスライド可能に嵌合する雄形構造を有して形成される。なお、充電器１０のバッテリ装着部１５に対するバッテリパックＢの装着方向としては、図１に示すように充電器１０の後側から充電器１０の前側に向けた方向となっている。
【００１５】
図１に示す充電器１０は、上記したようにバッテリパックＢを充電するための専用の充電器である。このため、この充電器１０は、不図示の工具本体から取り外されたバッテリパックＢをスライド装着可能に構成されている。なお、この充電器１０にスライド装着されたバッテリパックＢは、この充電器１０により充電可能な状態となる。図２〜図４は、この充電器１０の外観を示している。すなわち、図２は、上面視した充電器１０を示す図である。図３は、充電器１０の側面図であり、バッテリパックＢ装着方向の後面側の側面を示している。図４は、充電器１０の側面図であり、バッテリパックＢ装着方向の前面側の側面を示している。
図１〜図４に示すように、充電器１０は、筐体としてのケース１１を備える。このため、このケース１１は、充電器として機能するための各種の電気部品が内蔵される。ケース１１は、筐体上面および筐体側面を具備するケース本体１２と、筐体底面を具備する底板部１３とを備える。これらケース本体１２および底板部１３は、材料として例えばＰＰＥ（ポリフェニレンエーテル）樹脂等をプラスチック樹脂が選択されており、このプラスチック樹脂を成形することにより形成される。なお、ケース本体１２と底板部１３とを合体させてなるケース１１には、内蔵される電気部品を冷却するための冷却風取入口が設けられていないものとなっている。
ここで、ケース本体１２の上面略半分左側には、バッテリパックＢをスライド装着させるためのバッテリ装着部１５が形成されている。このバッテリ装着部１５は、ケース本体１２を形成する際の樹脂の成形時に、ケース本体１２の一部として一体成形されて形成されている。このバッテリ装着部１５は、上記したバッテリパックＢをスライド装着できるように略凹状の形状にて形成されている。
【００１６】
このバッテリ装着部１５の中央部分には、上記したバッテリパックＢをスライド装着させた場合に、このバッテリパックＢと電気的に接続される電気接続部１６が設けられている。この電気接続部１６は、バッテリ装着部１５の略中央に設けられており、バッテリパックＢの電気接続部（不図示）と電気的に接続可能に構成される。具体的には、電気接続部１６は、台座部１７と、誤装着規制ブロック１８と、４つの接続端子１９（１９Ａ，１９Ｂ，１９Ｃ，１９Ｄ）とを備える。この台座部１７は、ケース１１の上面となるケース上面３１から一段上側に上げられる台座状に形成され、誤装着規制ブロック１８および４つの接続端子１９（１９Ａ，１９Ｂ，１９Ｃ，１９Ｄ）を固定支持しつつ、ケース本体１２の一部として一体成形されて形成されている。つまり、この電気接続部１６は、従前のフローティング構造を廃止して、ケース本体１２のバッテリ装着部１５に対して、ケース１１の内部の密閉構造を維持するように配設されている。また、この台座部１７と一体化された誤装着規制ブロック１８は、指定されたバッテリパックＢ以外のスライド装着を規制しつつ、外部から異物が当たるような際に接続端子１９を保護するためのものである。このため、この誤装着規制ブロック１８は、接続端子１９の突出量と略同一あるいはそれ以上の突出量にて形成されるものとなっている。また、ここで充電器１０の電気接続部１６は、電気的に接続可能な接続端子１９（１９Ａ，１９Ｂ，１９Ｃ，１９Ｄ）が４つ設けられている。なお、これら４つの接続端子１９Ａ，１９Ｂ，１９Ｃ，１９Ｄのうち、２つの接続端子１９Ａ，１９Ｂは充電用の電気接続端子として構成されており、残り２つの接続端子１９Ｃ，１９Ｄは制御用の電気接続端子として構成されている。なお、電気接続部１６には、この電気接続部１６を保護するように設けられる保護カバーの配設が廃止されている。このため、ケース本体１２には、このような保護カバーを支持するための支持構造も廃止されている。
【００１７】
ここで、このバッテリ装着部１５の左右方向両側には、上記したバッテリパックＢのスライド装着をガイド（案内）するための雌形ガイド部２０が設けられている。この雌形ガイド部２０は、上記したようにバッテリパックＢの雄形ガイド部（不図示）に対してスライド可能に嵌合するように形成されている。なお、このバッテリ装着部１５は、ケース本体１２の一部として形成されるものであるため、この雌形ガイド部２０も、ケース本体１２を形成する際の樹脂の成形時に、ケース本体１２の一部として一体成形されて形成されている。つまり、この雌形ガイド部２０は、本発明に係るバッテリパックをスライド装着させるためのガイド部に相当する部分である。
この雌形ガイド部２０は、バッテリパックＢの雄形ガイド部（不図示）に対応するように、バッテリパックＢの装着方向に対して交差する左右方向にて対をなして形成されている。つまり、この雌形ガイド部２０は、バッテリパックＢの左右方向の移動を規制した状態でバッテリパックＢの前後方向の移動のみを許可するように、バッテリパックＢのスライド装着をガイドするように機能する。このため、この雌形ガイド部２０は、上記した雄形ガイド部をスライド可能に嵌合させる雌形構造を有して形成される。
具体的には、雌形ガイド部２０は、図２〜図４に示すように、バッテリ装着部１５において左右両側から内向きに突出する突出縁２１が設けられることにより形成される。この突出縁２１は、図３および図４に示すように、凹状に形成されるバッテリ装着部１５から上側に離間して形成されるようになっている。このため、この突出縁２１の離間した配設により、雌形ガイド部２０は状の雌形構造をなしている。このように雌形構造をなすバッテリ装着部１５の雌形ガイド部２０は、雄形構造をなすバッテリパックＢの雄形ガイド部（不図示）をスライド可能に嵌合させることができる。
【００１８】
雌形ガイド部２０をなすための上記した突出縁２１は次のように成形されている。なお、図５は、図２におけるＶ−Ｖ断面矢視を示す充電器１０の断面図である。図６は、図２におけるＶＩ−ＶＩ断面矢視を示す充電器１０の断面図である。
すなわち、図５および図６に示すように、雌形ガイド部２０を構成する突出縁２１は、外側となる上側から成形型を当てることによって、突出縁２１の肉厚が薄肉となる段差形状にて成形されている。つまり、雌形ガイド部２０を構成する突出縁２１は、段差形状を形成しようと成形するに際して外側（上側）から厚肉樹脂の肉を盗むように成形されている。この突出縁２１の外側（上側）の露出する段差形状は、露出段差部２２として形成されることとなる。具体的には、露出段差部２２は、周囲が側面にて囲われるように一段下げられた底面２３を備えて形成される。この底面２３は、本発明に係る露出段差部の少なくとも凹んだ部分に相当する部分である。この底面２３の略中間部分には、左右方向略中間部分にて仕切る仕切りリブ２７が設けられている。この仕切りリブ２７は、露出段差部２２のうち図示前後方向（装着方向および取り外し方向）に延びるように形成されている。ここで、この露出段差部２２の底面２３は、図５および図６に示すように、充電器１０を水平台に置いた場合に、水平方向に対して傾斜する傾斜角度を有して形成されている。具体的には、露出段差部２２の底面２３は、水平方向に対して前面側に向かうに従って下降するように傾斜して形成されている。この底面２３の傾斜角度は、底面２３に溜まった水が傾斜角度によって傾斜下側に向けて流れさせることができる傾斜角度を少なくとも有して設定されている。なお、この突出縁２１の露出段差部２２のうち、この底面２３と隣接する段差上面部分（図示符号２４部分）にあっても、この底面２３と同様の傾斜角度を有して形成されている。
また、図２および図５に示すように、露出段差部２２の底面２３の傾斜下降端２８には、外部に通じる排出路としての排出口２９が形成されている。この排出口２９は、上記した傾斜角度に沿った最下降端に位置する傾斜下降端２８に、傾斜方向に沿ってスリット形状が設けられて形成されている。なお、この露出段差部２２の底面２３は前面側に向かって下降しているので、この傾斜下降端２８は突出縁２１の最前面に位置するものとなっている。つまり、上記した底面２３に溜まった水は、突出縁２１の最前面に位置して傾斜角度に沿った最下降端（傾斜下降端２８）に位置する排出口２９に向かって流れていき、この排出口２９から外部に流れ出ることとなる。
【００１９】
ところで、上記したバッテリ装着部１５の上面と一致するケース１１の上面となるケース上面３１は、図５および図６に示すように、水平方向に対して前面側に向かうに従って下降するように傾斜して形成されている。つまり、ケース上面３１は、上記した露出段差部２２の底面２３から外部に排出された水を、ケース１１の前面側の側面となるケース前面３５に向かって流れさせるように傾斜して形成されている。なお、このケース上面３１の傾斜角度は、上記した底面２３の傾斜角度と同一の傾斜角度にて設定されている。このため、上記した底面２３を流れる水の流速と同様の流速にて、ケース前面３５に向けて水を流れさせることができる。
また、ケース前面３５には、上記したケース上面３１から流出しようとする水を充電器１０を載置する地面Ｇ（本発明に係る水平台の載置面に相当）に向けて流れさせる凹溝部３６が形成されている。この凹溝部３６は、本発明に係る案内水路に相当する部分であり、図２および図５に示すように凹溝状にて形成されている。この凹溝部３６は、上記したケース上面３１の傾斜面が連なるようにして形成されている。つまり、ケース上面３１から凹溝部３６に向かっては、段差が設けられることなく、傾斜角度を維持したまま面一で連なるように形成されている。なお、充電器１０が載置される地面Ｇは、水平方向に延びる水平面となっている。
【００２０】
上記した充電器１０によれば、次のような作用効果を奏することができる。なお、図７は、ケース本体１２の裏側を斜視にて示す裏面斜視図である。
すなわち、上記した充電器１０によれば、充電器１０の筐体となるケース本体１２（ケース１１）の一部として、バッテリパックＢをスライド装着させるための雌形ガイド部２０が、樹脂の一体成形により形成されている。ここで、この雌形ガイド部２０には、外側（上側）から厚肉樹脂の肉を盗むように成形型を当てることにより、突出縁２１を薄肉に成形する露出段差部２２が形成されている。これによって、図７における符号Ｗにて示すように、この露出段差部２２による段差形状によって、成形時の樹脂のヒケを防止するように突出縁２１（ガイド部２０）を薄肉に成形することができながら、ケース本体１２の内側（下側）には、水が入るような内外連通する開口形状が設けられないものとなる。また、この露出段差部２２の底面２３は、充電器１０を水平台に置いた場合に水平方向に対して傾斜して形成されているので、この底面２３に水が溜まってしまったり塵埃が堆積してしまったりする場合に、この底面２３の傾斜を利用して傾斜下降側に向けて水や塵埃を移動させることができる。
これによって、例えば露出段差部２２の底面２３に水が落ちた場合には、この落ちた水は底面２３の傾斜角度によりケース前面３５に向けて流れることとなる。なお、この底面２３と隣接する段差上面部分（図示符号２４部分）にあっても、この底面２３と同様の傾斜角度を有して形成されているので、この底面２３と同様に段差上面部分（図示符号２４部分）に落ちた水は、この傾斜角度により前面側となるケース前面３５に向けて流れることとなる。
【００２１】
また、上記した充電器１０によれば、露出段差部２２の底面２３の傾斜下降端２８には、外部に通じる排出口２９が形成されているので、例えば上記した底面２３を流れる水を外部に排出するにあたって、この水の流れを妨げることなく水の流れに沿って排出口２９から外部に排出させることができる。つまり、底面２３による水の流れ方向と外部に水を排出させる方向とが一致するように排出口２９が形成されているので、この一連の流れを妨げることなく外部に水を排出させることができる。これによって、この露出段差部２２の底面２３に溜まった水のほとんど全てを、外部に向けて排出することができる。なお、露出段差部２２の底面２３に対して塵埃が溜まってしまいそうな場合でも、水と同様に排出することができる。もって、バッテリパックＢをスライド装着させるための雌形ガイド部２０を樹脂の一体成形によりケース本体１２の一部として設けるにあたり、ケース本体１２に内外連通する開口形状を設けることなく雌形ガイド部２０を薄肉に成形することができ、さらに雌形ガイド部２０に水が溜まる問題や塵埃が堆積してしまう問題を軽減することができる。つまり、図７の符号Ｗにて示すように、露出段差部２２と対向するケース本体１２の裏側部分には内外連通する開口形状を設けることがなくなり、ケース本体１２にケース１１の内側に入った水を排出する水路構造を設ける必要がなくなる。これによって、ケース１１の内側となるケース本体１２の裏側を単純化した構造とすることができ、ケース１１の製造コストや製造作業等の面から利点が増すこととなる。
【００２２】
また、上記した充電器１０によれば、排出口２９はスリット形状にて形成されているので、ケース本体１２の成形と同時に排出口２９を形成することができる。これによって、排出口２９の形成工程を別段設けることがなくなり、ケース１１の製造に有利となる。
また、上記した充電器１０によれば、充電器１０は水平面と一致する地面Ｇに載置されており、ケース本体１２のケース上面３１は、露出段差部２２から外部に排出された水を流れさせるように水平方向に対して傾斜して形成されているので、上記したように露出段差部２２の底面２３から排出された水をケース上面３１に溜まらせ難くしたり、排出された塵埃をケース上面３１に堆積させ難くしたりすることができる。これによって、水や塵埃を溜まらせずにケース上面３１を綺麗な状態とすることができる。
また、上記した充電器１０によれば、電気接続部１６の台座部１７は、ケース上面３１から一段上側に上げられる台座状に形成され、電気接続部１６の接続端子１９は、この台座部１７に固定支持されている。これによって、ケース上面３１に落ちた水は、台座部１７の段差によって接続端子１９を避けるように流れ易くすることができる。
また、上記した充電器１０によれば、ケース前面３５には溝状の凹溝部３６が形成されているので、この凹溝部３６によりケース上面３１から流出しようとする水を充電器１０を載置する地面Ｇに向けて案内して流れさせることができる。これによって、この充電器１０の外部に水を綺麗に流すことができてケース１１を綺麗な状態とすることができる。
なお、上記した充電器１０によれば、電気接続部１６は従前のフローティング構造が廃止され、ケース本体１２は従前の保護カバーの支持構造が廃止されるとともに冷却風取入口の配設も廃止されている。このため、ケース１１は、従前に比して部品点数を減少させて製造コストを下げることができる。また、ケース本体１２には外部と連通する開口部分を設けていないので、ケース１１内部の密閉構造を高めている。
【００２３】
なお、本発明に係る充電器にあっては、上記した実施の形態に限定されるものではなく、次のように適宜個所を変更して構成するようにしてもよい。
すなわち、上記した充電器１０の露出段差部２２には、本発明に係る外部に通じる排出路として、傾斜方向に沿ってスリット形状をなす排出口２９が形成されるものとなっていた。しかしながら、本発明に係る排出路として、上記した実施の形態に限定されることなく次のような形態が採用されるものであってもよい。図８は、本発明に係る排出路の変形例を示す充電器１０Ａの上面図である。すなわち、図８に示すように、本発明に係る外部に通じる排出路として、露出段差部２２の底面２３の傾斜下降端２８には、この底面２３を下側に孔状に貫通する排出孔２９Ａが形成されるものであってよい。なお、このように排出孔２９Ａを設けた場合には、上記した露出段差部２２の底面２３の周囲は全て側面にて囲われるようになっていてもよいものとなる。つまり、上記した底面２３に溜まった水は、突出縁２１の最前面に位置して傾斜角度に沿った最下降端（傾斜下降端２８）に位置する排出孔２９Ａに向かって流れていき、この排出孔２９Ａから下側のケース上面３１に流れ落ちて外部に流れ出ることとなる。
【符号の説明】
【００２４】
１０  充電器
１１  ケース
１２  ケース本体
１３  底板部
１５  バッテリ装着部
１６  電気接続部
１７  台座部
１８  誤装着規制ブロック
１９  接続端子
２０  雌形ガイド部（ガイド部）
２１  突出縁
２２  露出段差部
２３  底面（凹んだ部分）
２７  仕切りリブ
２８  傾斜下降端
２９  排出口（排出路）
２９Ａ  排出孔（排出路）
３１  ケース上面
３５  ケース前面
３６  凹溝部（案内水路）
Ｂ  バッテリパック
Ｇ  地面
Ｗ  露出段差部と対向するケース本体の裏側部分
【図１】
0005620224.tif 000002
【図２】
0005620224.tif 000003
【図３】
0005620224.tif 000004
【図４】
0005620224.tif 000005
【図５】
0005620224.tif 000006
【図６】
0005620224.tif 000007
【図７】
0005620224.tif 000008
【図８】
0005620224.tif 000009